(57)【要約】【課題】長尺で口径が大きなった場合でも損傷を生じることなく取り扱いが容易になり、大規模な火災現場での迅速な対応に支障をきたすことのない消防用ホースとその巻取り及び繰出し方法を提供する。【解決手段】消火流体の圧力によって筒状になり、その圧力の解除によって扁平状になるように変形する消火流体送り用のホース本体１１を備える消防用ホースを、扁平状である時にリールにより巻取り及び繰出す。ホース本体１１の一方の扁平面１１ａを下面として地面Ｇに載置した時に、その一方の扁平面１１ａと地面との接触を阻止する保護部材３０を、予めホース本体１１の外面にホース本体１１の他方の扁平面１１ｂよりも上方に突出しないように取り付ける。しかる後に、リールによる巻取り及び繰出しを行う。【選択図】図４
2007111102.tif 000002
【特許請求の範囲】
【請求項１】
消火流体の圧力によって筒状になり、その圧力の解除によって扁平状になるように変形する消火流体送り用のホース本体を備え、前記ホース本体はリールにより巻取り及び繰出し可能な消防用ホースにおいて、
扁平状の前記ホース本体が一方の扁平面を下面として地面に載置された時に、その一方の扁平面と地面との接触を阻止する保護部材が、前記ホース本体の他方の扁平面よりも上方に突出しないように前記ホース本体の外面に取り付けられ、
前記保護部材は、前記ホース本体と共に前記リールによる巻取り及び繰出しができるように変形可能とされていることを特徴とする消防用ホース。
【請求項２】
扁平状の前記ホース本体の幅方向において前記ホース本体の両端間に前記保護部材の両端が配置される請求項１に記載の消防用ホース。
【請求項３】
前記保護部材は扁平な板状とされ、扁平状の前記ホース本体の幅方向において前記保護部材の両端間に前記ホース本体の両端が配置される請求項１に記載の消防用ホース。
【請求項４】
前記保護部材は、前記ホース本体の外面に着脱自在とされている請求項１〜３の中の何れかに記載の消防用ホース。
【請求項５】
消火流体の圧力によって筒状になり、その圧力の解除によって扁平状になるように変形する消火流体送り用のホース本体を備える消防用ホースを、扁平状である時にリールにより巻取り及び繰出す方法であって、
前記ホース本体の一方の扁平面を下面として地面に載置した時に、その一方の扁平面と地面との接触を阻止する保護部材を、予め前記ホース本体の外面に前記ホース本体の他方の扁平面よりも上方に突出しないように取り付け、しかる後に、前記リールによる巻取り及び繰出しを行うことを特徴とする消防用ホースの巻取り及び繰出し方法。
【発明の詳細な説明】
【技術分野】
【０００１】
本発明は、大規模火災に適した消防用ホースと、その消防用ホースのリールによる巻取り及び繰出し方法に関する。
【背景技術】
【０００２】
消火流体の圧力によって筒状になり、その圧力の解除によって扁平状になるように変形する消火流体送り用のホース本体を備える消防用ホースにおいては、そのホース本体が扁平状である時にリールにより巻取り及び繰出しが行われる。そのホース本体の両端に取り付けられる継手を介し、消火栓やポンプ車等の流体供給源と放水銃等の流体放出部材とが消防用ホースに接続される。
【０００３】
従来、そのようなホース本体がリールによる巻取りや繰出し時に地面と擦れることで損傷するのを防止するため、ホース本体の全体を樹脂被膜によりコーティングしたり、合成ゴムによりホース本体の全体を被覆することが行われている。また、ホース本体の全体を円筒形の合成樹脂製コイルバネにより覆うことが提案されている（特許文献１参照）。
【特許文献１】実開平６−５４９８５号公報
【発明の開示】
【発明が解決しようとする課題】
【０００４】
例えば石油コンビナート基地の火災のような大規模火災においては、毎分１００００Ｌ以上、場合によっては２００００Ｌ〜２５０００Ｌにも及ぶ大流量の消火流体を、数百〜数千ｍ離れた流体供給源から流体放出部材まで消防用ホースを介して搬送する必要がある。このような場合、消防用ホースは長尺で口径が大きくなり非常に重くなることから、樹脂被膜をコーティングする程度ではホース本体の損傷を十分に防止できない。特に石油コンビナート基地等においては防油用の砂利や防風林の枝等によりホース本体が損傷し易くなる。また、ホース本体の全体を合成ゴムやコイルバネで覆う場合も、その合成ゴムを厚くしたり、コイルバネの線径を太くする必要がある。しかし、ホース本体の全体を覆う合成ゴムの厚さやコイルバネの線径が大きなると、ホース本体はリールにより巻取られた時の径と重量が大きくなる。そのため、消防用ホースの取り扱いに労力を要し、大規模な火災現場での迅速な対応に支障をきたすことになる。本発明は、そのような問題を解決することのできる消防用ホースとその巻取り及び繰出し方法を提供することを目的とする。
【課題を解決するための手段】
【０００５】
本発明の消防用ホースは、消火流体の圧力によって筒状になり、その圧力の解除によって扁平状になるように変形する消火流体送り用のホース本体を備え、前記ホース本体はリールにより巻取り及び繰出し可能であり、扁平状の前記ホース本体が一方の扁平面を下面として地面に載置された時に、その一方の扁平面と地面との接触を阻止する保護部材が、前記ホース本体の他方の扁平面よりも上方に突出しないように前記ホース本体の外面に取り付けられ、前記保護部材は、前記ホース本体と共に前記リールによる巻取り及び繰出しができるように変形可能とされていることを特徴とする。
本発明方法は、消火流体の圧力によって筒状になり、その圧力の解除によって扁平状になるように変形する消火流体送り用のホース本体を備える消防用ホースを、扁平状である時にリールにより巻取り及び繰出す方法であって、前記ホース本体の一方の扁平面を下面として地面に載置した時に、その一方の扁平面と地面との接触を阻止する保護部材を、予め前記ホース本体の外面に前記ホース本体の他方の扁平面よりも上方に突出しないように取り付け、しかる後に、前記リールによる巻取り及び繰出しを行うことを特徴とする。
本発明によれば、扁平状のホース本体が一方の扁平面を下面として地面に載置された時に、その一方の扁平面と地面との接触を保護部材により阻止できるので、ホース本体のリールによる巻取りや繰出し時における損傷を防止できる。しかも、その保護部材はホース本体の他方の扁平面よりも上方に突出しないので、ホース本体がリールにより巻取られた時の径と重量が大きくなるのを抑制できる。
【０００６】
扁平状の前記ホース本体の幅方向において前記ホース本体の両端間に前記保護部材の両端が配置されるのが好ましい。これにより、保護部材がホース本体の他方の扁平面よりも上方に突出するのを確実に防止できる。
あるいは、前記保護部材は扁平な板状とされ、扁平状の前記ホース本体の幅方向において前記保護部材の両端間に前記ホース本体の両端が配置されてもよい。これにより、ホース本体の両端が地面と擦れるのをより確実に防止できる。
【０００７】
前記保護部材は、前記ホース本体の外面に着脱自在とされているのが好ましい。これにより損傷した保護部材の交換が可能になる。
【発明の効果】
【０００８】
本発明の消防用ホースとその巻取り及び繰出し方法によれば、長尺で口径が大きなった場合でも損傷を生じることなく取り扱いが容易になり、大規模な火災現場での迅速な対応に支障をきたすことがない。
【発明を実施するための最良の形態】
【０００９】
図１〜図３に示す本発明の実施形態に係る消防用ホース１は、毎分１００００Ｌ以上、場合によっては２００００Ｌ〜２５０００Ｌ以上にも及ぶ大流量の消火流体を、数百〜数千ｍ離れた流体供給源から流体放出部材に搬送するために用いられるもので、ホース展長車２に設けられたリール３により巻取り及び繰出しが可能とされている。
【００１０】
ホース１は、消火流体送り用のホース本体１１を備え、ホース本体１１の各端それぞれに継手金具１２が取り付けられ、一方の継手金具１２を介して消火流体を吐出したり中継するポンプや消火栓等に接続され、他方の継手金具１２を介して消火流体を放出するための放水銃やノズル等に接続される。また、複数本のホース１を継手金具１２を介して直列状に接続することで、一本のホースとして使用することもできる。ホース本体１１は、消火流体の圧力によって図５に示すように筒状になり、その圧力の解除によって図４に示すように扁平状になるように変形する。このようなホース本体１１自体や継手金具１２自体の構成は特に限定されず公知のものを用いることができる。
【００１１】
展長車２は、車輪２１ａを介して地面上を走行可能な台車２１を有する。台車２１上の支柱２２に取り付けられた横軸心のシャフト２３に、リール３が回転自在に嵌め合わされている。台車２１上に、リール３を挟むように２つのホースガイド２４が取り付けられている。リール３は、筒部材３ａの一端に円板３ｂを固定することで構成され、筒部材３ａと円板３ｂがシャフト２３に同軸心に嵌め合わされる。筒部材３ａの外周がホース１の巻き取り面とされ、巻き取られたホース１の軸方向一方への抜けが円板３ｂにより防止される。巻き取られたホース１の軸方向他方への抜けを防止するため、ホースガイド２４にバー２６が取り付けられている。なお、リール３をシャフト２３に抜き差し可能とし、ホースガイド２４にバー２６をピン等の適宜手段を介して着脱可能に取り付け、バー２６をホースガイド２４から取り外すことで、リール３に巻き取った状態のホース１をシャフト２３から抜いて保管できるようにしてもよい。リール３へのホース１の巻き取りは、ホース本体１１の一端の継手金具１２が内周端となると共に他端が外周端となる所謂一重巻きでもよいし、ホース本体１１の中間部が内周端となると共に両端の継手金具１２が外周端となる所謂二重巻きでもよい。一重巻きを行う場合、筒部材３ａに切り欠き３ａ′をホース本体１１を差し込むことができるように形成し、一方の継手金具１２を筒部材３ａ内に配置可能とするのが好ましい。二重巻きを行うため、ホースガイド２４が２つとされ、ホース本体１１の中間部から一端の間は一方のホースガイド２４により、ホース本体１１の中間部から他端の間は他方のホースガイド２４により案内可能とされている。リール３は、シャフト２３に油圧や電動のモータを連結することで動力により回転させてもよし、ハンドルを設けて手動により回転させてもよい。なお、リール３の構造は特に限定されず公知のものを用いることができ、例えばリール３として回転軸方向に並列する複数の巻き取り面を有し、複数本のホース１を巻取り可能なものを用いてもよい。また、展長車２は必ずしも必要ではなく、リールは据え置き型でもよい。
【００１２】
図４に示すように、扁平状のホース本体１１が一方の扁平面１１ａを下面として地面Ｇに載置された時に、その一方の扁平面１１ａと地面Ｇとの接触を阻止する保護部材３０が、ホース本体１１の他方の扁平面１１ｂよりも上方に突出しないようにホース本体１１の外面に取り付けられている。保護部材３０は、ホース本体１１の外面に取り付けられることで、ホース本体１１の扁平状から筒状への変形に応じて図５に示すようにホース本体１１の一方の扁平面１１ａに沿うように変形する。
【００１３】
保護部材３０は、ホース本体１１と共にリール３による巻取り及び繰出しができるように変形可能でホース本体１１の他方の扁平面１１ｂよりも上方に突出しなければ、その形状や材質やホース本体１１の外面への取り付け方法は特に限定されない。本実施形態においては、保護部材３０は扁平な板状とされ、扁平状のホース本体１１の幅方向（図４において左右方向）においてホース本体１１の両端１１′、１１″間に保護部材３０の両端３０′、３０″が配置される。保護部材３０の材質は、例えば可撓性を有する合成樹脂、ゴム、繊維等を用いることができる。保護部材３０のホース本体１１の外面への取り付けは、例えば、接着剤を介する接着、熱間溶融圧着、両面テープ、縫い付け、ベルト等による保護部材３０とホース本体１１の巻き付け等により行うことができる。また、保護部材３０の上面とホース本体１１の一方の扁平面１１ａとに面ファスナー等の連結具を取り付け、その連結具を介して保護部材３０をホース本体１１の外面に着脱自在に取り付けてもよい。
【００１４】
上記実施形態のホース１の巻取り及び繰出しに際しては、ホース本体１１の一方の扁平面１１ａを下面として地面Ｇに載置した時に、その一方の扁平面１１ａと地面Ｇとの接触を阻止する保護部材３０を、予めホース本体１１の外面にホース本体１１の他方の扁平面１１ｂよりも上方に突出しないように取り付けることが行われ、しかる後にホース本体１１が扁平状である時にリール３により巻取り及び繰出が行われる。これにより、扁平状のホース本体１１が一方の扁平面１１ａを下面として地面Ｇに載置された時に、その一方の扁平面１１ａと地面Ｇとの接触を保護部材３０により阻止できるので、ホース本体１１のリール３による巻取りや繰出し時における損傷を防止できる。しかも、保護部材３０はホース本体１１の他方の扁平面１１ｂよりも上方に突出しないので、ホース本体１１がリール３により巻取られた時の径と重量が大きくなるのを抑制できる。保護部材３０をホース本体１１の外面に着脱自在とすることで、損傷した保護部材３０の交換が可能になる。また、扁平状のホース本体１１の幅方向においてホース本体１１の両端１１′、１１″間に保護部材３の両端３０′、３０″が配置されることで、保護部材３がホース本体１１の他方の扁平面１１ｂよりも上方に突出するのを確実に防止できる。
【００１５】
図６は変形例を示し、扁平状のホース本体１１の幅方向において保護部材３０の両端３０′、３０″間にホース本体１１の両端１１′、１１″が配置されている。これにより、ホース本体１１の両端１１′、１１″が地面Ｇと擦れるのをより確実に防止できる。他は上記実施形態と同様で同様部分は同一符号で示す。
【００１６】
本発明は上記実施形態に限定されない。例えば、保護部材は扁平な板状に限定されず、多数の開口を有する網状であってもよい、ホース本体の長手方向に沿う複数本のテープ状の保護部材を、ホース本体の幅方向の間隔をおいてホース本体の外面に取り付けてもよい。
【図面の簡単な説明】
【００１７】
【図１】本発明の実施形態の消防用ホースとリールを示す側面図
【図２】本発明の実施形態の消防用ホースとリールの部分断面図
【図３】本発明の実施形態の消防用ホースの扁平状である時の平面図
【図４】本発明の実施形態のホース本体の扁平状である時の断面図
【図５】本発明の実施形態のホース本体の筒状である時の断面図
【図６】本発明の変形例のホース本体の扁平状である時の断面図
【符号の説明】
【００１８】
１  消防用ホース
３  リール
１１  ホース本体
１１′、１１″  両端
１１ａ  一方の扁平面
１１ｂ  他方の扁平面
３０  保護部材
３０′、３０″  両端
Ｇ  地面
【図１】
2007111102.tif 000003
【図２】
2007111102.tif 000004
【図３】
2007111102.tif 000005
【図４】
2007111102.tif 000006
【図５】
2007111102.tif 000007
【図６】
2007111102.tif 000008